【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
吸水性樹脂および放出薬剤成分を含む吸水剤組成物であって、
吸水剤組成物の高荷重下の吸収倍率をβとしたときに、
β≧２０（ｇ／ｇ）であって、
ここで、高荷重下の吸収倍率は、荷重５０ｇ／ｃｍ２（約４．９ｋＰａ）における、生理食塩水（０．９重量％塩化ナトリウム水溶液）に対する６０分間での吸収倍率である、吸水剤組成物。
【請求項２】
上記吸水性樹脂は、その前駆体が、アクリル酸またはその塩を主成分とする親水性単量体を重合して得られる内部架橋構造を有する親水性重合体であって、該親水性重合体の表面近傍が表面架橋剤でさらに架橋されてなることを特徴とする請求項１に記載の吸水剤組成物。
【請求項３】
上記吸水剤組成物同士を所定の強さで衝突させることにより、明細書で規定する衝撃力（Ｂ）を与えたとき、
衝撃前の吸水剤組成物の高荷重下の吸収倍率をβ、
衝撃後の吸水剤組成物の高荷重下の吸収倍率をδとすると、
δ/β≧０．８５であることを特徴とする請求項１または２に記載の吸水剤組成物。
【請求項４】
上記放出薬剤成分は、消臭作用、抗菌作用、殺虫作用または芳香作用を有する化合物であって、水溶性または水分散性の化合物、あるいはこれらの化合物の２種以上の組み合わせであることを特徴とする請求項１〜３のいずれか１項に記載の吸水剤組成物。
【請求項５】
上記放出薬剤成分は、鉄クロロフィリンナトリウム、ツバキ科植物葉抽出物、鉄フタロシアニンオクタカルボン酸、ヒノキチオール、アルキルベンジルジメチルアンモニウムクロライド、シトラール、メントール、クロルヘキシジングルコン酸塩、クロルヘキシジン塩酸塩、およびポリヘキサメチレンビグアニジン塩酸塩からなる群より選択される少なくとも１の化合物であることを特徴とする請求項１〜４のいずれか１項に記載の吸水剤組成物。
【請求項６】
上記ポリアクリル酸塩架橋重合体の平均粒子径は、２００〜６００μｍで、かつ、１０６μｍ以下の粒子径を有する粒子の割合が１０重量％以下であって、
上記表面架橋剤は、多価アルコール化合物、多価アミン化合物、多価エポキシ化合物、およびアルキレンカーボネート化合物からなる群より選択される少なくとも１種の化合物であって、
上記吸水剤組成物が２０メッシュの通過物であることを特徴とする請求項２〜５のいずれか１項に記載の吸水剤組成物。
【請求項７】
上記放出薬剤成分が、水性液又は水分散液として混合されることを特徴とする請求項1〜６のいずれか１項に記載の吸水剤組成物。
【請求項８】
紙おむつ、生理用ナプキン、および失禁パットからなる群より選択される衛生材料であって、請求項１〜７のいずれか１項に記載の吸水剤組成物を含むことを特徴とする衛生材料。
【請求項９】
吸水性樹脂および放出薬剤成分を含む吸水剤組成物であって、吸水剤組成物の高荷重下の吸収倍率をβとしたときに、β≧２０（ｇ／ｇ）である吸水剤組成物を製造する方法であって、
吸水性樹脂と放出薬剤成分とを混合するために、固定円筒の内部における回転軸の周りに、少なくとも一種の撹拌部材を設けた撹拌型の連続押し出し式混合機であって、押し出し推力の異なる部分を有する連続押し出し混合機を用い、
吸水性樹脂を、吸水性樹脂に押し出し推力を与える少なくとも一種の上記撹拌部材を設けた上記連続押し出し混合機における第一領域に供給し、
供給した吸水性樹脂を該第一領域で分散させた後、第一領域における押し出し推力よりも押し出し推力が小さい第二領域に押し出し、
該第二領域で吸水性樹脂と放出薬剤成分とを混合するとともに、
混合前の吸水性樹脂として、
上記吸水性樹脂同士を所定の強さで衝突させることにより、明細書で規定する衝撃力（Ａ）を与えたとき、
衝撃前の高荷重下の吸収倍率をα、
衝撃後の高荷重下の吸収倍率をγとすると、
α≧２０（ｇ／ｇ）であり、かつ、γ/α≧０．９０である吸水性樹脂を用いることを特徴とし、
ここで、高荷重下の吸収倍率は、荷重５０ｇ／ｃｍ２（約４．９ｋＰａ）における、生理食塩水（０．９重量％塩化ナトリウム水溶液）に対する６０分間での吸収倍率である、吸水剤組成物の製造方法。
【請求項１０】
混合前の吸水性樹脂として、アクリル酸またはその塩を主成分とする親水性単量体を重合して得られる内部架橋構造を有する親水性重合体であって、該親水性重合体の表面近傍が表面架橋剤でさらに架橋されてなる吸水性樹脂を用いることを特徴とする請求項９に記載の吸水剤組成物の製造方法。
【手続補正２】
【補正対象書類名】明細書
【補正対象項目名】００１１
【補正方法】変更
【補正の内容】
【００１１】
【課題を解決するための手段】
上記目的は、「吸水性樹脂および放出薬剤成分を含む吸水剤組成物であって、吸水剤組成物の高荷重下の吸収倍率をβとしたときに、β≧２０（ｇ／ｇ）である吸水剤組成物を製造する方法であって、吸水性樹脂と放出薬剤成分とを混合するために、固定円筒の内部における回転軸の周りに、少なくとも一種の撹拌部材を設けた撹拌型の連続押し出し式混合機であって、押し出し推力の異なる部分を有する連続押し出し混合機を用い、吸水性樹脂を、吸水性樹脂に押し出し推力を与える少なくとも一種の上記撹拌部材を設けた上記連続押し出し混合機における第一領域に供給し、供給した吸水性樹脂を該第一領域で分散させた後、第一領域における押し出し推力よりも押し出し推力が小さい第二領域に押し出し、該第二領域で吸水性樹脂と放出薬剤成分とを混合するとともに、混合前の吸水性樹脂として、上記吸水性樹脂同士を所定の強さで衝突させることにより、衝撃力（Ａ）を与えたとき、衝撃前の高荷重下の吸収倍率をα、衝撃後の高荷重下の吸収倍率をγとすると、α≧２０（ｇ／ｇ）であり、かつ、γ/α≧０．９０である吸水性樹脂を用いることを特徴とし、ここで、高荷重下の吸収倍率は、荷重５０ｇ／ｃｍ２（約４．９ｋＰａ）における、生理食塩水（０．９重量％塩化ナトリウム水溶液）に対する６０分間での吸収倍率である、吸水剤組成物の製造方法」により達成される。また、上記混合前の吸水性樹脂として、ポリアクリル酸塩架橋重合体はアクリル酸またはその塩を主成分とする親水性単量体を重合して得られる内部架橋構造を有する親水性重合体であって、該親水性重合体の表面近傍が表面架橋剤でさらに架橋されてなる吸水性樹脂を用いることが好ましい。
【手続補正３】
【補正対象書類名】明細書
【補正対象項目名】００１２
【補正方法】変更
【補正の内容】
【００１２】
また、本発明により、吸水性樹脂および放出薬剤成分を含む吸水剤組成物であって、吸水剤組成物の高荷重下の吸収倍率をβとしたときに、β≧２０（ｇ／ｇ）であって、ここで、高荷重下の吸収倍率は、荷重５０ｇ／ｃｍ２（約４．９ｋＰａ）における、生理食塩水（０．９重量％塩化ナトリウム水溶液）に対する６０分間での吸収倍率である、吸水剤組成物が得られる。上記吸水性樹脂は、その前駆体がポリアクリル酸塩架橋重合体はアクリル酸またはその塩を主成分とする親水性単量体を重合して得られる内部架橋構造を有する親水性重合体であって、該親水性重合体の表面近傍が表面架橋剤でさらに架橋されてなることが好ましい。また、上記吸水剤組成物同士を所定の強さで衝突させることにより、衝撃力（Ｂ）を与えたとき、衝撃前の吸水剤組成物の高荷重下の吸収倍率をβ、衝撃後の吸水剤組成物の高荷重下の吸収倍率をδとすると、δ/β≧０．８５であることが好ましい。上記放出薬剤成分は、消臭作用、抗菌作用、殺虫作用または芳香作用を有する化合物であって、水溶性または水分散性の化合物、あるいはこれらの化合物の２種以上の組み合わせであることが好ましい。上記放出薬剤成分は、鉄クロロフィリンナトリウム、ツバキ科植物葉抽出物、鉄フタロシアニンオクタカルボン酸、ヒノキチオール、アルキルベンジルジメチルアンモニウムクロライド、シトラール、メントール、クロルヘキシジングルコン酸塩、クロルヘキシジン塩酸塩、およびポリヘキサメチレンビグアニジン塩酸塩からなる群より選択される少なくとも１の化合物であることがより好ましい。上記ポリアクリル酸塩架橋重合体の平均粒子径は、２００〜６００μｍで、かつ、１０６μｍ以下の粒子径を有する粒子の割合が１０重量％以下であって、上記表面架橋剤は、多価アルコール化合物、多価アミン化合物、多価エポキシ化合物、およびアルキレンカーボネート化合物からなる群より選択される少なくとも１種の化合物であって、上記吸水剤組成物が２０メッシュの通過物であることが好ましい。上記放出薬剤成分は、水性液又は水分散液として混合されることが好ましい。また、本発明にかかる衛生材料は、紙おむつ、生理用ナプキン、および失禁パットからなる群より選択される衛生材料であって、本発明にかかる吸水剤組成物を含むことを特徴としている。